(57)【要約】【課題】  取付部材を被取付部材に正確に位置決めし保持することができるロック機構を提供する。【解決手段】  ロック機構２１は、アーム２７、ロック爪３０、フック３３、解除レバー３４、解除カム３５、磁石から構成される。フイルムキャリア１０を取り付け方向にスライドさせてゆくと、アーム２７、ロック爪３０、フック３３等が係わりあって、結果的にロック爪３０の先端部がフイルムキャリア１０の内面を押圧する。フイルムキャリア１０の外面は図示しない突き当て面に当接した状態である。これにより、フイルムキャリア１０が取り付け方向で位置決めされロックされる。【選択図】        図４
2005227387.tif 000002
【特許請求の範囲】
【請求項１】
取付部材を被取付部材上で所定方向にスライドさせて取付部材を被取付部材に設けられた突き当て面に当接させ、この当接状態で取付部材を被取付部材に固定するロック機構において、
取付部材を固定するロック位置と固定を解除する非ロック位置との間で変位するロック部材と、
取付部材の前記突き当て面への取り付け動作に連動してロック部材を非ロック位置からロック位置へ変位させる連動部材と、
ロック部材をロック位置で保持する保持位置とロック部材の保持を解除する非保持位置との間で変位するロック保持部材と、
解除操作されることによってロック保持部材を保持位置から非保持位置に変位させる保持解除部材とを有することを特徴とするロック機構。
【請求項２】
前記保持解除部材は、解除操作されることによって、ロック保持部材を保持位置から非保持位置に変位させるとともに、ロック部材をロック位置から非ロック位置に変位させ、連動部材を取り付け動作前の位置に変位させ、前記取付部材を取り付け方向とは反対方向である取り外し方向に変位させることを特徴とする請求項１記載のロック機構。
【請求項３】
前記取付部材はフイルムキャリアであり、前記被取付部材はフイルムキャリアが取り付けられ固定されるベース台であることを特徴とする請求項１または２記載のロック機構。
【請求項４】
前記ロック部材には、前記フイルムキャリアの取り付け動作にともない前記ロック部材が前記ロック位置近傍に位置したときに、前記ロック部材の一部を取り付け方向に付勢する付勢部材が設けられており、前記フイルムキャリアの取り付け動作が行われると前記ロック部材の一部が前記フイルムキャリアを押圧することを特徴とする請求項３記載のロック機構。
【請求項５】
前記ベース台には磁石が設けられ、前記フイルムキャリアには当接状態時に前記磁石と対面し前記磁石に吸着される吸着板が設けられていることを特徴とする請求項３記載のロック機構。
【請求項６】
前記ロック部材の一部と当接状態にある前記フイルムキャリアの一部とが接触して形成する接触面が、前記ベース台上の表面によって形成される平面に対して９０度よりも小さい角度の傾斜をもつように、前記ロック部材の一部及び前記フイルムキャリアの一部が形成されたことを特徴とする請求項３ないし５いずれか一つ記載のロック機構。
【請求項７】
取り付け動作にともない前記ロック部材と前記フイルムキャリアとが接触する領域のうち、ロック部材側領域とフイルムキャリア側領域の少なくとも一方に衝撃吸収部材を設けたことを特徴とする請求項３ないし６いずれか一つ記載のロック機構。
【請求項８】
前記連動部材は所定の軸を中心に回動する部材から構成され、その軸には前記フイルムキャリアの取り付け動作にともなう回動方向に対してのみ負荷が働くロータリダンパが設けられていることを特徴とする請求項３ないし７いずれか一つ記載のロック機構。
【請求項９】
ロック機構は前記フイルムキャリアと前記ベース台とを電気的に接続するコネクタの近傍に設けられていることを特徴とする請求項３ないし８いずれか一つ記載のロック機構。
【発明の詳細な説明】
【技術分野】
【０００１】
本発明は、ロック機構に関するものである。
【背景技術】
【０００２】
写真フイルムに撮影された画像情報を光電的に読み取り、これをデジタルデータ化して種々の画像処理を施した後に、感光材料を露光するデジタルプリントシステムが実用化されている。デジタルプリントシステムにはスキャナが備えられている。スキャナにはベース台（キャリアベース）が設けられ、このベース台にフイルムキャリアがセットされる。フイルムキャリアに写真フイルムを装填してスキャナを駆動すると、写真フイルムに記録された画像コマがスキャナによって１コマずつ読み取られる。フイルムキャリアは、写真フイルムの各画像コマをスキャナの所定の読取領域に位置決めする役割を果たすため、フイルムキャリアをベース台に正確に確実に固定することが望まれる。
【０００３】
特許文献１ではフイルムキャリアをベース台に固定するためにボールキャッチ機構を用いている。ベース台にはガイドレールが設けられ、フイルムキャリアにはガイド溝が設けられている。また、ベース台には雌ボールキャッチが設けられ、フイルムキャリアには雄ボールキャッチが設けられている。フイルムキャリアをベース台の手前側（前方）に載置することで、フイルムキャリアの左右方向の位置決めが行われる。フイルムキャリアを奥側（後方）へスライドさせてゆくと、やがて所定の取付位置で雄ボールキャッチが雌ボールキャッチに係合する。そして、雄ボールキャッチと雌ボールキャッチの係合と同時に、フイルムキャリアの奥の面がベース台に設けられた突き当て面に当接する。これによりフイルムキャリアの前後方向の位置決めが行われる。左右方向及び前後方向の位置決めが行われることで、フイルムキャリアがベース台に固定される。
【特許文献１】特開２００２−３１１５１５号公報
【発明の開示】
【発明が解決しようとする課題】
【０００４】
特許文献１のようにフイルムキャリアをベース台に固定するのにボールキャッチ機構を用いる場合、フイルムキャリアをベース台に固定する際に雄ボールキャッチが雌ボールキャッチを乗り越える力が必要となる。雄ボールキャッチが雌ボールキャッチを乗り越える力は、操作者がフイルムキャリアに対して奥方向へ力を加えることで生じさせる。雌ボールキャッチをゆるく設定すれば操作者がフイルムキャリアに加える力は小さくてすむが、その反面、フイルムキャリアのベース台に対する固定がゆるくなってしまう。したがって、雌ボールキャッチはきつく設定され、操作者はフイルムキャリアに大きな力を加えなくてはならないため、操作者にとって負担となる。また、フイルムキャリアのベース台への固定には正確さが求められ、ボールキャッチ機構の取り付け精度及びボールキャッチ機構自体の精度が必要とされる。
【０００５】
フイルムキャリアの固定にボールキャッチ機構を用いる場合、フイルムキャリアをベース台の規定位置に正確に固定しても、その後のフイルム装填やボタン操作等のフイルムキャリアの操作により、フイルムキャリアがベース台の規定位置からずれてしまうことがある。フイルムキャリアが規定位置からずれると、写真フイルムの画像コマの読み取り動作に影響が及ぶ。
【０００６】
さらに、フイルムキャリアの固定にボールキャッチ機構を用いる場合、雄ボールキャッチが雌ボールキャッチを一度乗り越えると、雄ボールキャッチが雌ボールキャッチから受けていた負荷が急に小さくなる。これにより、フイルムキャリアに加えられた力が行き場を失うため、フイルムキャリアの奥の面がベース台の突き当て面に大きな力で衝突することがある。このような衝突が起こると、突き当て面、及び雌ボールキャッチの奥に配置されたコネクタ等の破損につながる。
【０００７】
本発明では、操作者による大きな力を必要とせずに取付部材（例えばフイルムキャリア）を被取付部材（例えばベース台）の規定位置に正確に位置決めすることができ、また、ひとたび取付部材を被取付部材の規定位置に位置決めすれば、その規定位置で取付部材を保持し続けることができるロック機構を提供することを目的とする。
【課題を解決するための手段】
【０００８】
本発明は、取付部材を被取付部材上で所定方向にスライドさせて取付部材を被取付部材に設けられた突き当て面に当接させ、この当接状態で取付部材を被取付部材に固定するロック機構に関し、取付部材を固定するロック位置と固定を解除する非ロック位置との間で変位するロック部材と、取付部材の前記突き当て面への取り付け動作に連動してロック部材を非ロック位置からロック位置へ変位させる連動部材と、ロック部材をロック位置で保持する保持位置とロック部材の保持を解除する非保持位置との間で変位するロック保持部材と、操作されることによってロック保持部材を保持位置から非保持位置に変位させる保持解除部材とを有することを特徴とする。
【０００９】
前記保持解除部材は、解除操作されることによって、ロック保持部材を保持位置から非保持位置に変位させるとともに、ロック部材をロック位置から非ロック位置に変位させ、連動部材を取り付け動作前の位置に変位させ、前記取付部材を取り付け方向とは反対方向である取り外し方向に変位させることが好ましい。
【００１０】
前記取付部材はフイルムキャリアであり、前記被取付部材はフイルムキャリアが取り付けられ固定されるベース台であると、本発明のロック機構は好適に用いられる。
【００１１】
前記ロック部材には、前記フイルムキャリアの取り付け動作にともない前記ロック部材が前記ロック位置近傍に位置したときに、前記ロック部材の一部を取り付け方向に付勢する付勢部材が設けられており、前記フイルムキャリアの取り付け動作が行われると前記ロック部材の一部が前記フイルムキャリアを押圧することが好ましい。
【００１２】
前記ベース台には磁石が設けられ、前記フイルムキャリアには当接状態時に前記磁石と対面し前記磁石に吸着される吸着板が設けられていることが好ましい。
【００１３】
前記ロック部材の一部と当接状態にある前記フイルムキャリアの一部とが接触して形成する接触面が、前記ベース台上の表面によって形成される平面に対して９０度よりも小さい角度の傾斜をもつように、前記ロック部材の一部及び前記フイルムキャリアの一部が形成されていることが好ましい。
【００１４】
取り付け動作にともない前記ロック部材と前記フイルムキャリアとが接触する領域のうち、ロック部材側領域とフイルムキャリア側領域の少なくとも一方に衝撃吸収部材を設けることが好ましい。
【００１５】
前記連動部材は所定の軸を中心に回動する部材から構成され、その軸には前記フイルムキャリアの取り付け動作にともなう回動方向に対してのみ負荷が働くロータリダンパが設けられていることが好ましい。
【００１６】
ロック機構は前記フイルムキャリアと前記ベース台とを電気的に接続するコネクタの近傍に設けられていることが好ましい。
【発明の効果】
【００１７】
本発明によれば、取付部材を固定するロック位置と固定を解除する非ロック位置との間で変位するロック部材と、被取付部材に設けられた突き当て面への取付部材の取り付け動作に連動してロック部材を非ロック位置からロック位置へ変位させる連動部材と、ロック部材をロック位置で保持する保持位置とロック部材の保持を解除する非保持位置との間で変位するロック保持部材と、操作されることによってロック保持部材を保持位置から非保持位置に変位させる保持解除部材とを有するので、取付部材を被取付部材上で前記突き当て面へ向かってスライドさせれば、その取り付け動作に連動して連動部材が変位し、ロック部材がロック位置に変位することで取付部材は被取付部材に固定される。ロック部材がロック位置に変位すると、ロック保持部材が保持位置に変位してロック部材の動きを機械的に規制するため、取付部材は取り付け方向と逆方向、つまり取り外し方向に変位できなくなる。これらにより、取付部材を被取付部材に取り付けて固定する過程においては大きな負荷を受けることがないため、操作者は大きな力を必要とせずに取付部材を被取付部材に固定することができる。また、取付部材を被取付部材に取り付ける過程において、負荷が大きく変化することがないため、操作者は常に適度な力で取付部材を変位させることができる。取付部材は被取付部材の突き当て面に大きな力で衝突することはなく、取付部材を被取付部材に固定する過程は円滑に行われる。
【００１８】
前記保持解除部材は、解除操作されることによって、ロック保持部材を保持位置から非保持位置に変位させるとともに、ロック部材をロック位置から非ロック位置に変位させ、連動部材を取り付け動作前の位置に変位させ、前記取付部材を取り付け方向とは反対方向である取り外し方向に変位させるので、操作者が保持解除部材を解除操作すれば、ロック保持部材が非保持位置に変位してロック部材の機械的な規制が外される。また、同時にロック部材が非ロック位置に変位し、連動部材が取り付け動作前の位置に変位する。取付部材はロック部材による固定が解除され、取付部材は連動部材によって取り外し方向に押圧させられる。これにより、取付部材を被取付部材から取り外す過程は円滑に行われる。
【００１９】
フイルムキャリアを取付部材とし、フイルムキャリアが取り付けられ固定されるベース台を被取付部材として前記ロック機構を用いれば、フイルムキャリアやベース台に衝撃を与えることなくフイルムキャリアをベース台に固定することができるため、精密な構造の搬送装置等を備えたフイルムキャリアや、コネクタ等を備えたベース台の破損を防ぐことができる。
【００２０】
前記ロック部材には、前記フイルムキャリアの取り付け動作にともない前記ロック部材が前記ロック位置近傍に位置したときに、前記ロック部材の一部を取り付け方向に付勢する付勢部材が設けられているので、前記フイルムキャリアの取り付け動作が行われる過程で前記ロック部材の一部が前記フイルムキャリアを取り付け方向に押圧する。この押圧力によりフイルムキャリアはベース台の突き当て面に押し付けられ、取り付け方向に正確に位置決めされて規定位置で固定される。フイルムキャリアを固定した後であっても前記押圧力が働くため、フイルムキャリアを固定した後に操作者がフイルムキャリアを操作してフイルムキャリアが規定位置からずれてしまうときであっても、前記押圧力によりフイルムキャリアは規定位置に復帰する。
【００２１】
前記ベース台には磁石が設けられ、前記フイルムキャリアには当接状態時に前記磁石と対面し前記磁石に吸着される吸着板が設けられているので、前記フイルムキャリアの取り付け動作が行われる過程で前記フイルムキャリアの前記吸着板が磁石に近づくと前記吸着板が磁力により磁石に引き付けられる。この引付力によりフイルムキャリアはベース台の突き当て面に押し付けられ、取り付け方向に正確に位置決めされて規定位置で固定される。フイルムキャリアを固定した後であっても引付力が働くため、フイルムキャリアを固定した後に操作者がフイルムキャリアを操作してフイルムキャリアが規定位置からずれてしまうときであっても、引付力によりフイルムキャリアは規定位置に復帰する。磁石は当接状態にある前記フイルムキャリアの吸着板に対して離間して備えられているため、フイルムキャリアのベース台からの取り外しのときであっても大きな負荷とはならない。
【００２２】
前記ロック部材の一部と当接状態にある前記フイルムキャリアの一部とが接触して形成する接触面が、前記ベース台上の表面によって形成される平面に対して９０度よりも小さい傾斜をもつように、前記ロック部材の一部及び前記フイルムキャリアの一部を形成するので、前記ロック部材の一部が前記フイルムキャリアの一部を押圧する押圧力は、突き当て面に向かう取り付け方向に働く力と、前記ベース台上の表面に向かう方向に働く力とになる。これにより、前記フイルムキャリアは、前記突き当て面に押し付けられるとともに、前記ベース台の表面に押し付けられる。ベース台の表面における法線方向にも位置決めがなされてフイルムキャリアが固定される。
【００２３】
取り付け動作にともない前記ロック部材と前記フイルムキャリアとが接触する領域のうち、ロック部材側領域とフイルムキャリア側領域の少なくとも一方に衝撃吸収部材を設けるので、取り付け動作時においてロック部材の一部がフイルムキャリアの一部に接触する際の接触音を防ぐことができる。衝撃吸収部材は、２色成形によって形成することが好ましい。衝撃吸収部材を２色成形によって形成することで、耐久性が良くなる。
【００２４】
前記連動部材は所定の軸を中心に回動する部材から構成され、その軸には前記フイルムキャリアの取り付け動作にともなう回動方向に対してのみ負荷が働くロータリダンパが設けられているので、取り付け動作時にのみロータリダンパの負荷が働き、取り外し動作時にはロータリダンパの負荷が働かない。これにより、円滑に取り付け動作及び取り外し動作を行うことができる。
【００２５】
ロック機構は前記フイルムキャリアと前記ベース台とを電気的に接続するコネクタの近傍に設けられているので、フイルムキャリアのベース台からの取り外し動作において、連動部材の一部によってフイルムキャリアを取り外し方向に押圧させる場合には、前記コネクタと連動部材の一部によって押圧される部分との距離が短くなり、前記コネクタにかかるモーメントが小さくなるため、コネクタの破損を防ぐことができる。
【発明を実施するための最良の形態】
【００２６】
デジタルプリントシステムは、ＣＣＤスキャナ、画像処理装置、レーザープリンタ、及びプロセサから構成される。ＣＣＤスキャナは、写真フイルムに光を照射し、写真フイルムの画像コマに記録された画像を画像データとして読み取る。画像処理装置は、読み取られた画像データに濃度補正、色調整等の各種画像処理を施す。レーザープリンタは、画像処理済みの画像データに基づき印画紙に画像を記録する。プロセッサは、露光済みの印画紙に対して発色現像、漂白定着、水洗、乾燥等の各処理を施す。これらの各動作を経てプリントが仕上がる。
【００２７】
図１に示すように、ＣＣＤスキャナは、フイルムキャリア１０と、そのフイルムキャリア１０が取り付けられるベース台１１を有している。
【００２８】
フイルムキャリア１０の上面には、読み取り開口１２ａを形成する露光枠１２が設けられている。フイルムキャリア１０の内部には、フイルムが装填される装填室、装填されたフイルムを搬送する搬送装置が設けられている。搬送装置はフイルムキャリア１０の前部に設けられた操作パネル１３を操作することでフイルムの搬送を開始する。搬送装置は、読み取り開口１２ａから画像コマ領域が露出する位置でフイルムを停止させ、画像コマ領域に記録された画像を読み取った後に再びフイルムを搬送する。そして、次の画像コマ領域が露出する位置でフイルムを停止させる。このように搬送装置はフイルムを間欠搬送する。
【００２９】
フイルムキャリア１０の下面には、前後方向に長尺に形成された２本のガイド溝１４が設けられている。このガイド溝１４は、フイルムキャリア１０の後面１５まで延びており、フイルムキャリア１０の後面１５下部に開口１５ａを形成している。フイルムキャリア１０の左後部には、コネクタ１９が設けられている。
【００３０】
フイルムキャリア１０は全体をカバーによって覆われており、フイルムキャリア１０の後面１５を形成している後面カバー１５は板状に形成されている。この後面カバー１５には、後述する磁石３６と対面する位置に、磁石３６に吸着する金属で形成された吸着板１６が取り付けられている。後面カバー１５の外面１５ｂ（図５（Ｃ）参照）は、フイルムキャリア１０の上面と垂直な平面となっている。また、後面カバー１５の内面１５ｃ（図５（Ｃ）参照）は、上部がフイルムキャリア１０の上面と垂直な平面となっており、下部が傾斜部を形成されて傾斜面１５ｄ（図５（Ｃ）参照）となっている。この傾斜面１５ｄは、内面１５ｃ上部を形成している平面に対して９０度より小さい角度を成し、下方にいくに従って前方に延びるように形成されている。
【００３１】
ベース台１１の上面には、前後方向に長尺に形成された２本のガイドレール２０が設けられている。ベース台１１の左後部にはロック機構２１が組み込まれている。また、ベース台１１の左後部において、ロック機構２１の左方近傍には、フイルムキャリア１０のコネクタ１９と係合するコネクタ２３が設けられている。ベース台１１の右後部には、後述する磁石３６が設けられている。コネクタ２３及び磁石３６は、ベース台１１の上面から突出して設けられる支持台２２によって支えられている。支持台２２の前面は、ベース台１１の上面と垂直な面となっている。以後、この支持台２２の前面を突き当て面２２ａと呼ぶ。ベース台１１は、ＣＣＤスキャナ本体に固定されている。
【００３２】
図２、図３に示すように、ロック機構２１は、アーム２７（連動部材）、取付板２８、２９、ロック爪３０（ロック部材）、取付板３１、３２、フック３３（ロック保持部材）、解除レバー３４（保持解除部材）、解除カム３５（保持解除部材）、磁石３６（図１参照）から構成される。以下、ロック機構２１を構成する各部を説明する。以下の説明では、ロック機構２１の各部は、ベース台１１にフイルムキャリア１０が取り付けられる前の待機位置である。なお、図２においては、軸まわりの付勢バネ、ネジ等の図示を省略している。
【００３３】
アーム２７は、中央部に形成された孔２７ａに通される軸４０を中心に回動自在であり、軸４０を中心に反時計回り（右側からみて）に図示しないねじりコイルバネによって付勢されている。アーム２７の上端部には、回動自在なローラ４１が設けられている。ローラ４１は、アーム２７がベース台１１に取り付けられると、突き当て面２２ａ（図１参照）によって形成される平面よりも、より前方に位置する。アーム２７の下部は湾曲するよう折り曲げて折曲部２７ｂが形成され、その先端が前方向に延びている。軸４０は、ベース台１１の上面にネジ止めされる取付板２８、２９に支持される。軸４０の左端部は取付板２８に設けられた軸受孔２８ａに支持され、軸４０の右端部は取付板２９に設けられた軸受孔２９ａに支持される。
【００３４】
ロック爪３０は、中央部に形成された孔３０ａ、３０ｂに通される軸３１ａ、３２ａを中心に回動自在である。ロック爪３０の中央部は略直角に折れ曲がっている。ロック爪３０の上端部は折り曲げられて折曲部３０ｃが形成され、先端が後上方向に延びている。ロック爪３０の折曲部３０ｃの先端面には、衝撃を吸収する樹脂部３０ｄが設けられている。この樹脂部３０ｄは２色成形によって板状に形成されたものであり、折曲部３０ｃの先端面に沿って設けられている。ロック爪３０の上部には軸４２が取り付けられ、この軸４２には引っ張りバネ４３（付勢部材）の一端４３ａが係合する。引っ張りバネ４３の他端４３ｂは、ベース台１１に固定して設けられた図示しない軸に係合する。この引っ張りバネ４３の一端４３ａと他端４３ｂを結ぶ中心線が、軸３１ａ、３２ａより下側に位置するときにはロック爪３０は反時計回り（右側からみて）に付勢され、軸３１ａ、３２ａより上側に位置するときにはロック爪３０は時計回りに付勢される。つまり、ロック爪３０が外力によって時計回りに回動するとき、所定回動位置までは反時計回りに付勢されているが、所定回動位置を越えると時計回りに付勢されることとなる。ロック爪３０の下部はＬ字形のＬ字部３０ｅが形成され、先端が後方向に延びている。ロック爪３０の下端部には回動自在なローラ４５が設けられている。軸３１ａ、３２ａは、ベース台１１の上面にネジ止めされる取付板３１、３２に固定されている。軸３１ａは、取付板３１の右側面から突出しており、軸３２ａは取付板３２の左側面から突出している。
【００３５】
フック３３は、上部に形成された孔３３ａに通される軸５０を中心に回動自在であり、図示しないねじりコイルバネによって軸５０を中心に反時計回り（右側からみて）に付勢されている。フック３３の下部は鉤状に形成されている。この鉤状突起３３ｂには、ロック爪３０のローラ４５が係合可能である。フック３３の下部には、固定された軸３３ｃが右方向に延びるように設けられている。この軸３３ｃの先端部には、回動自在なローラ４９が設けられている。軸５０は、取付板３１、３２に支持される。軸５０の左端部は取付板３１に設けられた軸受孔３１ｂに支持され、軸５０の右端部は取付板３２に設けられた軸受孔３２ｂに支持される。
【００３６】
解除レバー３４は、操作部５３（図１、図３参照）と軸部５４から構成される。操作部５３はベース台１１の右部において、上方に延びるよう設けられている。軸部５４は、左右方向に長尺に設けられている。軸部５４の右端部と操作部５３の下端部とはネジ止めにより固定される。軸部５４の左端部は、後述する解除カム３５の右側面に形成された係合部３５ｃにネジ止めにより固定される。
【００３７】
解除カム３５は、板カムを用いている。解除カム３５の左側面の上部には、左方向に延びる突起３５ａが設けられている。前述した解除レバー３４の操作部５３が回動操作されると、連動して解除カム３５も同じ方向に回動する。解除カム３５が反時計回り（右側からみて）に回動すると、解除カム３５の曲面３５ｂがフック３３のローラ４９に当接するとともに、突起３５ａがロック爪３０の折曲部３０ｃの窪みに当接する。
【００３８】
磁石３６（図１参照）は、略直方体状に形成され、ベース台１１上面の右部のベース台２２に固定されて設けられている。ベース台２２の前部には切り欠きが設けられており、突き当て面２２ａよりも後方に位置する切り欠き面２２ｂ（図１参照）が形成されている。磁石３６は、前面３６ａをこの切り欠き面２２ｂの形成する平面に合わせるようにして配置されている。よって磁石３６の前面３６ａは突き当て面２２ａよりも少し後方に位置する。
【００３９】
以下、上記構成による作用について、フイルムキャリア１０のベース台１１への取り付け動作及び取り外し動作を中心に説明する。
【００４０】
フイルムキャリア１０をベース台１１へ取り付けて固定する際には、まず、フイルムキャリア１０をベース台１１上面の前部に載置する。ここで、フイルムキャリア１０のガイド溝１４をベース台１１のガイドレール２０に係合させるようにする。フイルムキャリア１０をベース台１１に載置すると、フイルムキャリア１０はベース台１１に対して左右方向で位置決めされる。
【００４１】
フイルムキャリア１０をベース台１１上面の前部に載置した状態で、フイルムキャリア１０に後方向に力を加えると、フイルムキャリア１０がベース台１１上面の後部にスライドしてゆく。
【００４２】
以後の取り付け動作を図４を用いて説明する。図４はロック機構２１の主要部を左側面から見た図となっている。図４（Ａ）に示すように、アーム２７は軸４０を中心にして時計回りに付勢されている。ロック爪３０は、引っ張りバネ４３の中心線が軸３１ａより下方に位置しているため、軸３１ａを中心にして時計回りに付勢されている。この状態においてロック爪３０はフイルムキャリア１０に接触しない非ロック位置にある。フック３３は軸５０を中心にして時計回りに付勢されている。なお、図４では引っ張りバネ４３を簡略化して図示している。
【００４３】
フイルムキャリア１０が後方向にスライドしてゆくと、図４（Ｂ）に示すように、フイルムキャリア１０の後面カバー１５の外面１５ｂがアーム２７のローラ４１に当接する。フイルムキャリア１０をさらにスライドさせると、外面１５ｂがローラ４１を後方向に押し、アーム２７が反時計回りに回動する。アーム２７が反時計回りに回動すると、アーム２７の折曲部２７ｂが前方向に変位する。折曲部２７ｂはロック爪３０のＬ字部３０ｅの先端に設けられたローラ４５を押すことで、Ｌ字部３０ｅを前方向に変位させる。ロック爪３０のＬ字部３０ｅが前方向に変位すると、ローラ４５がフック３３の鉤状突起３３ｂを乗り越え、ローラ４５が鉤状突起３３ｂと係合する。ここで、フック３３の鉤状突起３３ｂは、ローラ４５から受ける力によって下方向に変位し、ローラ４５が回転しながら鉤状突起３３ｂを乗り越えた後に再び付勢力によって上方向に変位する。ローラ４５が鉤状突起３３ｂを乗り越えた状態であれば、ローラ４５の後方向への変位が規制される。言い換えると、ロック爪３０の時計回りの回動が規制される。
【００４４】
図４（Ｃ）に示すように、ローラ４５が鉤状突起３３ｂを乗り越えると同時に、引っ張りバネ４３の中心線が軸３１ａより上方に位置し、ロック爪３０はそれまでと逆方向の反時計回りに付勢される。ロック爪３０が反時計回りに付勢されると、ロック爪３０の折曲部３０ｃの先端に設けられた樹脂部３０ｄがフイルムキャリア１０の傾斜部１５ｄに当接する。さらに、樹脂部３０ｄは引っ張りバネ４３による付勢力により傾斜部１５ｄを押圧する。ここで、樹脂部３０ｄと傾斜部１５ｄによって形成される接触面は、ベース台１１（図１参照）の上面によって形成される平面に対して成す角度が９０度よりも小さくなっている。そのため、フイルムキャリア１０はロック爪３０によって後方向及び下方向に力を受けることとなる。フイルムキャリア１０は、後方向に力を受けることで、後面カバー１５の外面１５ｂが突き当て面２２ａ（図１参照）に押し付けられる。これにより、フイルムキャリア１０は前後方向に位置決めされる。また、フイルムキャリア１０は、下方向に力を受けることで、ベース台１１（図１参照）の上面に押し付けられる。これにより、フイルムキャリア１０は上下方向に確実に位置決めされる。このときのフイルムキャリア１０の位置を規定位置と呼ぶことにする。また、このときのロック爪３０の位置をロック位置、フック３３の位置を保持位置と呼ぶことにする。
【００４５】
なお、前述のフイルムキャリア１０の取り付け動作の説明の中では触れなかったが、フイルムキャリア１０が後方向にスライドし、フイルムキャリア１０の後面カバー１５が突き当て面２２ａの近傍に位置するところで、後面カバー１５に取り付けられた吸着板１６が磁石３６（図１参照）に引き付けられる。この磁力によってもフイルムキャリア１０は突き当て面２２ａに押し付けられる。
【００４６】
フイルムキャリア１０の取り付け動作が行われると、フイルムキャリア１０のコネクタ１９（図１参照）がベース台１１のコネクタ２３（図１参照）に係合する。フイルムキャリア１０のベース台１１への取り付け動作を終え、フイルムキャリア１０が規定位置に固定されると、ＣＣＤスキャナが駆動可能な状態となる。
【００４７】
フイルムキャリア１０に写真フイルムを装填し、フイルムキャリア１０の操作部１３等を操作すると、フイルムキャリア１０内部に備えられたフイルム搬送装置等が駆動する。搬送装置の駆動により、写真フイルムの画像コマに記録された画像が１コマずつ読み取られる。フイルムキャリア１０は規定位置に正確に固定されているため、写真フイルムの画像コマ領域は、ＣＣＤスキャナの読取領域に正確に位置決めされる。なお、操作者のフイルムキャリア１０の操作等によりフイルムキャリア１０が規定位置からずれてしまったときであっても、フイルムキャリア１０は規定位置に復帰する。これは、フイルムキャリア１０には、ロック爪３０の樹脂部３０ｄ及び磁石３６によって、常に突き当て面２２ａ（図１参照）への押し付け力が働くからである。読み取られた画像データは、画像処理装置へ送られて各種画像処理を施される。その後、レーザープリンタ、プロセッサにより各種処理が施される。
【００４８】
次にフイルムキャリア１０のベース台１１からの取り外し動作について、図５を用いて説明する。図５はロック機構２１の主要部を右側面から見た図となっている。
【００４９】
図５（Ａ）は、フイルムキャリア１０がロック機構２１によりベース台１１に取り付けられている状態である。フイルムキャリア１０は規定位置に固定されている。アーム２７は、軸４０を中心に反時計回りに付勢されている。ロック爪３０は、軸３１ａ、３１ｂを中心に時計回りに付勢されている。ロック爪３０はロック位置にあり、フイルムキャリア１０を突き当て面２２ａ（図１参照）に押し付けている。フック３３は軸５０を中心に反時計回りに付勢されている。フック３３は保持位置にあり、ロック爪３０の反時計回りの回動を機械的に規制している。解除カム３５は、解除操作される前の待機状態である。なお、図５では引っ張りバネ４３（図２参照）の図示を省略している。
【００５０】
図５（Ｂ）に示すように、解除レバー３４の操作部５３（図１、図３参照）を前方向に押し倒すと、解除レバー３４の軸部５４が回動し、解除カム３５が反時計回りに回動する。解除カム３５が反時計回りに回動すると、解除カム３５の曲面３５ｂがフック３３のローラ４９に当接し、解除カム３５の突起３５ａがロック爪３０の折曲部３０ｃの窪みに当接する。曲面３５ｂがローラ４９に当接すると、ローラ４９は回転しながら押し下げられる。ローラ４９が押し下げられると、フック３３の鉤状突起３３ｂも下方向に変位する。このように、フック３３は、保持位置からロック爪３０の保持を解除する保持解除位置に変位する。これにより、ロック爪３０の反時計回りの機械的な規制が外され、ロック爪３０は反時計回りの回動を行うことが可能となる。
【００５１】
突起３５ａが折曲部３０ｃの窪みに当接し、折曲部３０ｃが前方向に押されると、ロック爪３０は反時計回りに回動する。このとき、ロック爪３０の樹脂部３０ｄはフイルムキャリア１０の傾斜面１５ｄから離れるため、フイルムキャリア１０はロック爪３０による後方向への押し付け力を解除される。ロック爪３０が反時計回りに回動すると、ロック爪３０のＬ字部３０ｅが後方向に変位する。Ｌ字部３０ｅは、やがてアーム２７の折曲部２７ｂに当接して折曲部２７ｂを押すことで、折曲部２７ｂを後方向に変位させる。これにより、アーム２７は反時計方向に回動する。アーム２７が反時計方向に回動すると、アーム２７のローラ４１がフイルムキャリア１０の外面１５ｂに当接する。
【００５２】
ローラ４１が外面１５ｂを前方向に押すと、フイルムキャリア１０はベース台１１のガイドレール２０に沿って前方向にスライドする。フイルムキャリア１０が前方向に所定位置まで変位すれば、フイルムキャリア１０の後面カバー１５に設けられた吸着板１６が磁石３６から受ける磁力が弱くなる。これにより、フイルムキャリア１０は磁石３６による後方向への押し付け力を解除される。
【００５３】
このように、解除レバー３４が操作されると、フイルムキャリア１０はロック爪３０及び磁石３６による後方向への押し付け力が解除され、フイルムキャリア１０は規定位置における固定を解除される。フイルムキャリア１０が前方向に変位すると、フイルムキャリア１０のコネクタ１９とベース台１１のコネクタ２３との係合が外れる。この際、アーム２７のローラ４１によって押圧されるフイルムキャリア１０の後面１５の押圧部分と、コネクタ１９及びコネクタ２３の係合部分との距離は短い。そのため、コネクタ１９及びコネクタ２３に働くモーメントは大きくはならず、コネクタ１９及びコネクタ２３の破損を防止することができる。
【００５４】
図５（Ｃ）に示すように、フイルムキャリア１０をベース台１１のガイドレール２０に沿って前方向にスライドさせた後には、フイルムキャリア１０をベース台１１から持ち上げることができる。このように、フイルムキャリア１０のベース台１１からの取り外し動作が行われる。
【００５５】
フイルムキャリア１０のベース台１１からの取り外し動作の後、解除レバー３４の操作部５３は図示しない巻きバネにより、取り外し前の初期状態に自動復帰する。これにより、ベース台１１にフイルムキャリア１０を取り付けることができる待機状態となる。
【００５６】
なお、上記実施形態では、ロック爪３０の折曲部３０ｃの先端面に板状に形成された樹脂部３０ｄを設けたが、樹脂部３０ｄに加えて、樹脂部３０ｄの周囲に比較的低硬度のゴム部材を設けてもよい。ゴム部材は樹脂部３０ｄの接触表面から突出するように設ける。ロック爪３０がフイルムキャリア１０の傾斜面１５ｄに接触する際には、まず、ゴム部材が傾斜面１５ｄに当接して変形し、次に樹脂部３０ｄが傾斜面１５ｄに当接することとなる。これにより、ロック爪３０がフイルムキャリア１０に当接する際の衝撃をより和らげることができ、衝突音を防止することができる。
【００５７】
上記実施形態では、ロック機構２１を１組のみ用いたが、ロック機構を複数組用いてもよい。その際には、コネクタ２３に最も近いロック機構のアームの上端部に設けられたローラの径を最も大きくするのが好ましい。例えばロック機構を２組用いる場合には、上記実施形態のようにロック機構２１をベース台１１の左後部に設けるのに加えて、ロック機構をベース台１１の右後部にも設ける。そして、コネクタ２３に近い左後部のロック機構２１のローラ４１の径を大きくする。これにより、フイルムキャリア１０のベース台１１からの取り外し動作時において、コネクタ２３に近い左後部のロック機構２１のローラ４１がより早くフイルムキャリア１０を前方向に押すこととなる。コネクタ２３に近い位置でローラ４１がフイルムキャリア１０を押圧し、コネクタ２３にかかるモーメントが小さくなるため、コネクタ２３の破損を防止することができる。
【００５８】
上記実施形態では、アーム２７の軸４０近傍にはねじりコイルバネに加えて、一方向にのみ働くロータリダンパを設けるのが好ましい。フイルムキャリア１０の取り付け動作時にアーム２７が回動する方向にのみ負荷をかけ、取り外し動作時にアーム２７が回動する方向には負荷をかけないようにしてロータリダンパを設ける。これにより、フイルムキャリア１０の取り付け時には、フイルムキャリア１０の後方向へのスライド速度が減速されるため、コネクタ２３、突き当て面２２ａ等の破損が防止される。フイルムキャリア１０の取り外し時には、負荷がかからないため、フイルムキャリア１０は解除レバー操作に応じて素早く前方向へスライドさせることができる。
【００５９】
上記実施形態では、取付部材にフイルムキャリア１０、被取付部材にベース台１１を用いてロック機構を説明したが、取付部材及び被取付部材はこれに限られない。本発明のロック機構は、取付部材の被取付部材への正確な固定が必要とされたり、取付部材や被取付部材に衝撃を与えずに取付部材を被取付部材に固定することが必要とされるものに用いるのが好ましい。
【００６０】
上記実施形態では、ローラ４５、４９を回転自在としたが、これらは回転しないものであってもよい。この場合には、ローラ４５、４９の表面を滑りやすくしておくことが好ましい。
【図面の簡単な説明】
【００６１】
【図１】フイルムキャリア及びベース台の概略斜視図である。
【図２】ロック機構の分解斜視図である。
【図３】ロック機構の斜視図である。
【図４】フイルムキャリアのベース台への取り付け動作を示す説明図である。
【図５】フイルムキャリアのベース台からの取り外し動作を示す説明図である。
【符号の説明】
【００６２】
１０    フイルムキャリア
１１    ベース台
１５    後面
１５ｄ  傾斜面
１６    吸着板
１９    コネクタ
２１    ロック機構
２２ａ  突き当て面
２３    コネクタ
２７    アーム（連動部材）
２７ｂ  折曲部
３０    ロック爪（ロック部材）
３０ｃ  折曲部
３０ｄ  樹脂部
３０ｅ  Ｌ字部
３３    フック（ロック保持部材）
３３ｂ  鉤状突起
３４    解除レバー（保持解除部材）
３５    解除カム（保持解除部材）
３５ａ  突起
３５ｂ  曲面
３６    磁石
４１    ローラ
４３    引っ張りバネ（付勢部材）
４５    ローラ
５３    操作部
５４    軸部
【図１】
2005227387.tif 000003
【図２】
2005227387.tif 000004
【図３】
2005227387.tif 000005
【図４】
2005227387.tif 000006
【図５】
2005227387.tif 000007